(57)【特許請求の範囲】
【請求項１】
頂部、底部及び２個の側部を有する中央区画を形成し、測定機器用のラックに取り付けられるフレームと、
上記測定機器が取り付けられ、上記中央区画に挿入されるスリーブと、
該スリーブを上記フレーム内に取り外し可能に固定する固定手段とを具え、
該固定手段は、
上記フレームに取り付けられたバネと、
該バネに取り付けられて上記中央区画に延び、上記スリーブが上記中央区画に挿入された際に上記スリーブの対応する穴とかみ合うボタンとを有し、
上記ボタンは上記スリーブの内側から押し出すことができ、上記ボタンを上記スリーブの内側から押し出すと、上記スリーブを上記中央区画から取り出せることを特徴とするモジュール式ラック・マウント装置。
【発明の詳細な説明】
【０００１】
【発明の属する技術分野】
本発明は、一般に、ラック・マウント装置に関し、特に、異なる環境要求に対して測定機器を柔軟に取り付けることができるモジュール式ラック・マウント装置に関する。
【０００２】
【従来の技術】
多くの測定環境において、複数の測定機器を大きなラックに取り付けている。ラックに複数の測定機器を取り付けるために、各ラック・ユニットの幅及び高さに関して、標準の大きさを導入している。その結果、測定機器の大きさは、標準規格一杯（フル）のラック・マウント又は標準規格の半分（ハーフ）のラック・マウントに適合するものとなっている。複数のハーフ・ラック・マウントの場合、一般に単一のフル・ラック・マウントを設ける際に、スリーブによりフル・ラック・マウントを複数のハーフ・ラック・マウントに分けている。図２は、典型的なハーフ・ラック・マウント装置を示す。なお、この図は、従来の固定ラック・マウント装置を示しており、１対のハーフ・ラックのスリーブ（測定機器等を受ける筒状部分）が１対の帯部分（前部帯部分及び後部帯部分）と互いに溶接されており、これら１対の帯部分が前部エッジ及び後部エッジの周囲に溶接されて、構造的な安定性が得られる。これらスリーブは、特に、通風孔を有し、ラックに取り付けられた際に、測定機器の条件に応じて、この測定機器の周囲で冷風が循環できる構造になっている。例えば、空気の循環に対して、総ての測定機器の条件が同じならば、この固定されたラック・マウント装置が充分に適合する。しかし、新たな測定機器が開発されると、異なる空気循環の条件により、異なるスリーブの構成が必要となる。
【０００３】
【発明が解決しようとする課題】
多くの所望の構成において、異なるスリーブの換気条件の総てを満足するように、ユーザが測定機器をラックに取り付けることができるようにするには、数えきれいないほどの異なるラック・マウント装置が必要となる。
【０００４】
したがって、単一のラック・マウント装置でありながら、異なるスリーブ構造に交換できる柔軟なモジュール式（モジューラ）ラック・マウント装置が望まれている。
【０００５】
よって、本発明は、単一のラック・マウント構造でありながら、異なるスリーブ構造に容易に交換できるモジュール式ラック・マウント装置の提供にある。
【０００６】
【課題を解決するための手段】
本発明のモジュール式ラック・マウント装置（１０）は、頂部、底部及び２個の側部を有する中央区画を形成し、測定機器用のラックに取り付けられるフレーム（１２）と；測定機器が取り付けられ、中央区画に挿入されるスリーブ（１４／１６）と；このスリーブをフレーム内に取り外し可能に固定する固定手段（２８）とを具え；この固定手段は、フレームに取り付けられたバネ（４０）と；このバネに取り付けられて中央区画に延び、スリーブが中央区画に挿入された際にスリーブの対応する穴（２６）とかみ合うボタン（３０）とを有し；このボタンはスリーブの内側から押し出すことができ、ボタンをスリーブの内側から押し出すと、スリーブを中央区画から取り出せることを特徴とする。
【０００７】
本発明は、適応性のあるモジュール式ラック・マウント装置を提供するものであり、かかるラック・マウント装置の実施例では、中央区画を形成するための頂部、底部及び２個の側部を有する剛性フレーム（１２）と、この中央区画を２個の区画に分割するためにフレームの頂部及び底部の間に取り付けられた中央リブ（２２）と、上述のフレーム及び中央リブにより形成された２個の区画のいずれかに摺動的に挿入されるスリーブ（１４／１６）とを具えている。このスリーブのいずれかの側部に沿った位置に穴（２６）を設けて、スリーブをフレーム内に摺動させたときに、フレームの側部及び／又は中央リブに取り付けられた板バネ（４０）に設けられたボタン（３０）が穴と係合して、スリーブをその位置にしっかりと保持する。スリーブを除去又は交換するためには、ボタンをスリーブの内側から押して、スリーブを摺動させて取り出す。
【０００８】
本発明の目的、利点及び新規な特徴は、添付図を参照した以下の詳細な説明から明らかになろう。
【０００９】
【発明の実施の形態】
図１は、本発明によるモジュール式ラック・マウント装置１０の分解斜視図である。このモジュール式ラック・マウント装置１０は、剛性フレーム１２と、１対の交換可能なスリーブ１４及び１６とを具えている。剛性フレーム１２は、全体として頂部、底部及び１対の側部を有するが、これは、左側フレーム部分（ブラケット）１８、右側フレーム部分（ブラケット）２０、中央リブ２２で構成されている。フレーム部分１８、２０の各々も側部、頂部及び底部を有する。中央リブ２２は、フレーム１２の内部を２個の区画（コンパートメント）に分割する。左側フレーム部分１８及び右側フレーム部分２０は、夫々の頂部及び底部に連結フィンガ２４を具えてもよい。これら連結フィンガ２４は、互いに圧入され、必要に応じてフレーム１２を強固に固定するようにスポット溶接され、滑らかな表面となる。リベット、ネジ、スポット溶接などの適切な手段により、中央リブ２２を左側フランジ部分１８及び右側フレーム部分２０に固定する。スリーブ１４及び１６の各々は、各側部に穴２６を有する。右側フレーム部分１８及び左側フレーム部分２０の側部、並びに、中央リブ２２の両側に取り付けられたスナップ及びラッチ機構（固定手段）２８に、穴２６がかみ合う。剛性フレーム１２にスリーブ１４及び１６を安定させるために、穴２６がスナップ及びラッチ機構２８とかみ合うまで、これらスリーブ１４、１６をフレーム１２内の各区画に摺動させる。なお、これら区画は、フレーム１２内で中央リブ２２の両側に形成されている。スリーブ１４及び１６を外して交換するためには、スナップ及びラッチ機構２８の一部であり、穴２６に延びたボタン３０をスリーブの内側から押して、スナップ及びラッチ機構２８を解除し、フレーム１２からスリーブ１４、１６を引き出す。フレーム１２及び中央リブ２２により形成されたハーフ・ラック区画のいずれかに、この方法により、任意のスリーブ構造体を配置して、異なる測定機器の環境要求に適応させることができる。
【００１０】
スリーブ１４及び１６は、適切に穿孔され折り曲げられたシート状金属材料から形成してもよい。スリーブ１４及び１６を完成させるために折り曲げた端部が合わさった接合部２７は、図１に示すように、重なり合わせて溶接してもよいし、また、剛性フレーム１２に関して上述したように、「フィンガ」互いに圧入させて連結させ、必要に応じてスポット溶接を行ってもよい。
【００１１】
図３は、本発明によるモジュール式ラック・マウント装置に用いるスナップ及びラッチ機構の第１実施例の拡大斜視図である。中央リブ２２に取り付けられる第１スナップ及びラッチ機構（固定手段）２８Ａは、支持板３２を具え、この支持板３２は、取り付け部分３４と、中央穴３８を有するオフセット部分３６とを具えている。板バネ４０は、支持端部４２と、バネ端部４４とを有する。ネジ、リベットなどの任意の適切な取り付け手段４６を用いて、ボタン３０をバネ端部４４に取り付ける。板バネ４０を中央リブ２２及び支持板３２の間に取り付けたときに、ボタン３０がオフセット部分３６の中央穴３８を介して突出するように、ボタン３０を取り付ける。ボタン３０は、その突出した頭の周囲に小さな丸みを有し、スリーブ１４及び１６も、それらの縁に沿ってわずかな丸みを有する。図４は、本発明によるモジュール式ラック・マウント装置に用いる中央リブ２２の側部平面図である。中央リブ２２は、スルー・ホール（通り穴）４５の両側に１対の取り付け位置４１及び４３を有する。図５は、本発明によるモジュール式ラック・マウント装置に用いる図３のスナップ及びラッチ機構２８を図４の中央リブに取り付けた斜視図である。中央リブ２２の両側で対向するように取り付ける際、板バネ４０のバネ端部４４を図５に示すように配置するので、ボタン３０を押すと、バネ端部４４がスルー・ホール４５内に入るように変形するので、ボタン３０がスリーブ１４及び１６内の穴２６から抜け出ることができる。
【００１２】
図６は、本発明によるモジュール式ラック・マウント装置に用いるスナップ及びラッチ機構の第２実施例の拡大斜視図である。この図６に示すように、より簡単なスナップ及びラッチ機構（固定手段）２８Ｂは、剛性フレーム１２自体に設けることができる。バネ鋼リボン４８には、適切な取り付け手段５０により、ボタン３０が設けられる。図７は、本発明によるモジュール式ラック・マウント装置に用いるフレーム部分の側部の平面図である。この図７に示すように、フレーム部分１８及び２０の各々の側部は、１対の対向フランジ５２及び５４を有し、これらフランジは、穴５６の側部の外側にある。バネ鋼リボン４８は、フレーム部分１８及び２０の外側フランジ５２及び５４の間に固定されて、ボタン３０が穴５６を介してスリーブ側に延びる。
【００１３】
剛性フレーム１２及び中央リブ２２により２個の区画を形成するハーフ・ラック・マウント装置について上述したが、中央リブを除去して、フル・ラック・マウント装置用の単一の区画を形成してもよい。フル・ラック・マウント装置では、スリーブ１４及び１６の大きさをそれなりに変更し、図６のスナップ及びラッチ機構２８Ｂと同様な機構をフレーム１２に設けて、これにより、スリーブをフレーム内に固定してもよい。
【００１４】
【発明の効果】
上述の如く、本発明のモジュール式ラック・マウント装置は、そこに取り付けられる測定機器などの環境要求に応じて、異なるスリーブに適応できるという充分な融通性がある。また、本発明のモジュール式ラック・マウント装置は、剛性フレームを有し、この剛性フレームは、中央リブと、このリブ及びフレームに取り付けられたスナップ及びラッチ機構とを具えているので、これらスリーブをフレーム内に挿入した際に、これらスリーブがフレーム内に保持され、また、取り外し可能である。よって、これらスリーブを測定機器などの条件に応じて容易に交換することができる。
【図面の簡単な説明】
【図１】本発明によるモジュール式ラック・マウント装置の分解斜視図である。
【図２】従来のラック・マウント装置の斜視図である。
【図３】本発明によるモジュール式ラック・マウント装置に用いるスナップ及びラッチ機構の第１実施例の拡大斜視図である。
【図４】本発明によるモジュール式ラック・マウント装置に用いる中央リブの側部平面図である。
【図５】本発明によるモジュール式ラック・マウント装置に用いる図３のスナップ及びラッチ機構を図４の中央リブに取り付けた斜視図である。
【図６】本発明によるモジュール式ラック・マウント装置に用いるスナップ及びラッチ機構の第２実施例の拡大斜視図である。
【図７】本発明によるモジュール式ラック・マウント装置に用いるフレーム部分の側部平面図である。
【符号の説明】
１０  モジュール式ラック・マウント装置
１２  剛性フレーム
１４、１６  スリーブ
１８  右側フレーム部分（右側ブラケット）
２０  左側フレーム部分（左側ブラケット）
２２  中央リブ
２４  連結フィンガ
２６  穴
２７  接合部
２８、２８Ａ、２８Ｂ  スナップ及びラッチ機構（固定手段）
３０  ボタン
３２  支持板
３４  取り付け部分
３６  オフセット部分
３８  中央穴
４０  板バネ
４１、４３  取り付け位置
４２  支持端部
４４  バネ端部
４５  スルー・ホール
４６、５０  取り付け手段
４８  バネ鋼リボン
５２、５４  フランジ
５６  穴
【図１】
0004051221.tif 000002
【図２】
0004051221.tif 000003
【図３】
0004051221.tif 000004
【図４】
0004051221.tif 000005
【図５】
0004051221.tif 000006
【図６】
0004051221.tif 000007
【図７】
0004051221.tif 000008